(57)【要約】【課題】管理者などに装置の動作状態を、安価な構成で、装置の意匠を損なうことなく、容易に把握させることができる監視装置を提供する。【解決手段】表面カバーと、前記表面カバー内に収容され、被写体像を撮像する撮像装置と、自装置が取り付けられる取り付け面に固定される裏面カバーと、前記取り付け面に対して、光を照射する照射部と、を備え、前記照射部が照射する光の発光状態は、自装置の動作状態と関連付けされる、監視装置が提供される。【選択図】図３
2011091569.tif 000002
【特許請求の範囲】
【請求項１】
表面カバーと、
前記表面カバー内に収容され、被写体像を撮像する撮像装置と、
自装置が取り付けられる取り付け面に固定される裏面カバーと、
前記取り付け面に対して、光を照射する照射部と、
を備え、
前記照射部が照射する光の発光状態は、自装置の動作状態と関連付けされる、監視装置。
【請求項２】
前記照射部が照射する光は、前記表面カバーと前記裏面カバーとの間隙に形成された通風孔を介して、前記取り付け面に照射される、請求項１に記載の監視装置。
【請求項３】
前記裏面カバーの外周は、前記表面カバーの側面よりも内側に位置する、請求項１または２に記載の監視装置。
【請求項４】
前記取り付け面に対して、光を照射する他の照射部をさらに備える、請求項１〜３のいずれか１項に記載の監視装置。
【請求項５】
前記他の照射部が照射する光は、前記表面カバーと前記裏面カバーとの間隙に形成された他の通風孔を介して、前記取り付け面に照射される、請求項４に記載の監視装置。
【請求項６】
前記通風孔の孔径と、前記他の通風孔の孔径とは異なる大きさである、請求項５に記載の監視装置。
【発明の詳細な説明】
【技術分野】
【０００１】
本発明は、監視装置に関する。
【背景技術】
【０００２】
従来、建物あるいは室内の天井面などに設置されて、建物の周辺あるいは室内の監視を行う監視装置としての監視カメラが提案されている（例えば、特許文献１参照。）。
【０００３】
このような監視カメラの設置者は、監視カメラを設置した後に、監視カメラの動作状態を把握して、監視カメラが正常に動作しているかなどの確認を行う必要がある。
【０００４】
例えば、監視カメラは、本体内部の基板上に設置された発光ダイオード（ＬＥＤ）の発光状態を動作状態と関連付けて変化させる。これにより、監視カメラの設置者などは、そのＬＥＤの発光状態に基づいて、監視カメラの動作状態を把握することができる。
【先行技術文献】
【特許文献】
【０００５】
【特許文献１】特開２００５−３１１８２６号公報
【発明の概要】
【発明が解決しようとする課題】
【０００６】
ところで、上述したＬＥＤは、その発光状態が監視カメラの動作状態と関連付けされているため、外から目立つ位置に設置するのは好ましくない。このため、上述したＬＥＤは、監視カメラの本体内部に設置されるのが一般的である。
【０００７】
しかしながら、上述したＬＥＤを監視カメラの本体内部に設置する場合、監視カメラの設置者などは、監視カメラの動作状態の確認を行う際に、監視カメラの本体表面カバーを取り外してＬＥＤの発光状態を確認する必要がある。監視カメラの動作状態の確認を行う際に、その都度本体表面カバーを取り外すのは設置者などにとっては煩わしいという問題がある。
【０００８】
また、監視カメラの本体内部に設置されたＬＥＤの発光状態を監視カメラの外から確認可能とするために、導光管などを用いる場合は、監視カメラの本体のコストが増大するという問題がある。
【０００９】
また、監視カメラの本体内部に設置されたＬＥＤの発光状態を監視カメラの外から確認可能とするために、監視カメラの本体表面カバーにＬＥＤの発光状態の確認用の覗き孔を形成する場合は、監視カメラの本体の意匠を損なうという問題があった。
【００１０】
そこで、本発明は、上記問題に鑑みてなされたものであり、本発明の目的とするところは、管理者などに装置の動作状態を、安価な構成で、装置の意匠を損なうことなく、容易に把握させることが可能な、新規かつ改良された監視装置を提供することにある。
【課題を解決するための手段】
【００１１】
上記課題を解決するために、本発明のある観点によれば、表面カバーと、前記表面カバー内に収容され、被写体像を撮像する撮像装置と、自装置が取り付けられる取り付け面に固定される裏面カバーと、前記取り付け面に対して、光を照射する照射部と、を備え、前記照射部が照射する光の発光状態は、自装置の動作状態と関連付けされる監視装置が提供される。
【００１２】
前記照射部が照射する光は、前記表面カバーと前記裏面カバーとの間隙に形成された通風孔を介して、前記取り付け面に照射されてもよい。
【００１３】
前記裏面カバーの外周は、前記表面カバーの側面よりも内側に位置してもよい。
【００１４】
前記取り付け面に対して、光を照射する他の照射部をさらに備えてもよい。
【００１５】
前記他の照射部が照射する光は、前記表面カバーと前記裏面カバーとの間隙に形成された他の通風孔を介して、前記取り付け面に照射されてもよい。
【００１６】
前記通風孔の孔径と、前記他の通風孔の孔径とは異なる大きさであってもよい。
【発明の効果】
【００１７】
以上説明したように本発明によれば、管理者などに装置の動作状態を、安価な構成で、装置の意匠を損なうことなく、容易に把握させることができる。
【図面の簡単な説明】
【００１８】
【図１】本発明の第１の実施の形態に係る監視カメラの斜め下方から見た外観を示す斜視図である。
【図２】本発明の第１の実施の形態に係る監視カメラの斜め上方から見た外観を示す斜視図である。
【図３】本発明の第１の実施の形態に係る監視カメラの概略構成を示す断面図である。
【図４】図３におけるＡ部の拡大図である。
【図５】本発明の第２の実施の形態に係る監視カメラの概略構成を示す断面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．監視カメラの外観例（第１の実施の形態）
２．監視カメラの構成例（第１の実施の形態）
２．監視カメラの他の構成例（第２の実施の形態）
【００２１】
［監視カメラの外観例］
まず、本発明の第１の実施の形態に係る監視カメラの外観例について説明する。図１は、本発明の第１の実施の形態に係る監視カメラの斜め下方から見た外観を示す斜視図である。図２は、本発明の第１の実施の形態に係る監視カメラの斜め上方から見た外観を示す斜視図である。
【００２２】
図１および図２において、監視カメラ１００は、本発明の監視装置の一例であり、主に、カメラモジュール１０２と、本体表面カバー１０４と、本体裏面カバー１０６とから構成される。
【００２３】
カメラモジュール１０２は、撮像素子（図示せず）を有し、被写体像を撮像して撮像信号を生成する。本体表面カバー１０４は、２段のドーム形状を呈し、カメラモジュール１０２を収容する。本体裏面カバー１０６は、環板形状を呈し、複数のねじ挿通孔１０８と、ケーブル挿通孔１１０とが形成されている。また、本体表面カバー１０４と本体裏面カバー１０６とが画成する内部空間には、基板（図示せず）が収容されている。
【００２４】
また、図２に示すように、本体表面カバー１０４と本体裏面カバー１０６との間隙には、斜め方向に向けて開口する複数の通風孔１１２が形成されている。
【００２５】
本発明の第１の実施の形態に係る監視カメラ１００は、建物あるいは室内の天井面などに設置されて、建物の周辺あるいは室内の被写体の監視あるいは観察を行うための静止画像や動画像を撮影することができる。
【００２６】
［監視カメラの構成例］
次に、本発明の第１の実施の形態に係る監視カメラの構成例について説明する。図３は、本発明の第１の実施の形態に係る監視カメラの概略構成を示す断面図である。
【００２７】
図３において、監視カメラ１００は、例えば、室内の天井面２００に設置されている。監視カメラ１００は、主に、撮像装置としてのカメラモジュール１０２と、本体表面カバー１０４と、本体裏面カバー１０６と、基板１１４と、ケーブル１１６と、ＬＥＤ１１８，１２０とから構成される。ＬＥＤ１１８，１２０は、本発明の照射部の一例である。また、本体裏面カバー１０６の外周は、本体表面カバー１０４の側面よりも内側に位置する。カメラモジュール１０２と基板１１４とはケーブル１１６を介して接続されている。
【００２８】
基板１１４は、略円板形状を呈し、本体表面カバー１０４と本体裏面カバー１０６とが画成する内部空間において、本体裏面カバー１０６と平行した状態で配設されている。基板１１４は、監視カメラ１００の制御系の大部分を構成し、プリント基板に複数の電子部品が実装されることで構成される。
【００２９】
ＬＥＤ１１８，１２０は、基板１１４上における周縁部近傍に設置されて、監視カメラ１００の動作状態に関連づけされて、その発光状態が制御される。例えば、ＬＥＤ１１８は、監視カメラ１００の電源がオン状態であるときは、点灯状態となり、監視カメラ１００の電源がオフ状態であるときは、消灯状態となる。また、例えば、ＬＥＤ１２０は、監視カメラ１００のネットワーク接続状態が接続状態であるときは、点灯状態となり、監視カメラ１００のネットワーク接続状態が非接続状態であるときは、消灯状態となる。
【００３０】
図４は、図３におけるＡ部の拡大図である。図４において、本体表面カバー１０４と本体裏面カバー１０６との間隙には、斜め方向に向けて開口する通風孔１１２が形成されている。ＬＥＤ１１８は、通風孔１１２を介して天井面２００における本体裏面カバー１０６の周縁部外側に光１２４を照射する。これにより、監視カメラ１００の設置者などは、天井面２００における本体裏面カバー１０６の周縁部外側に照射された光１２４の間接光１２６を確認することができる。
【００３１】
図３に戻り、本体裏面カバー１０６のねじ挿通孔１０８には、ねじ２０２やねじ２０４が挿通される。これらねじ２０２，２０４によって、監視カメラ１００は、天井面２００に固設される。天井面２００は、監視カメラ１００の取り付け面となる。
【００３２】
また、監視カメラ１００は、例えばネットワーク接続用のケーブル１２２を介して外部装置３００に接続されている。監視カメラ１００と外部装置３００とは、例えばＬＡＮやイーサネット（登録商標）によって双方向の通信を行うことができる。
【００３３】
本発明の第１の実施の形態によれば、発光状態が監視カメラ１００の動作状態に関連づけされた例えばＬＥＤ１１８の光１２４が天井面２００における本体裏面カバー１０６の周縁部外側に照射される。これにより、監視カメラ１００の設置者などは、天井面２００における本体裏面カバー１０６の周縁部外側に照射された光１２４の間接光１２６を確認することにより、監視カメラの動作状態の把握することができる。したがって、設置者などは監視カメラ１００の本体表面カバー１０４を取り外してＬＥＤ１１８，１２０の発光状態を確認する必要がないため、監視カメラ１００の動作状態の確認を容易に行うことができる。
【００３４】
また、ＬＥＤ１１８，１２０の発光状態を監視カメラ１００の外から確認可能とするために、導光管などを用いる必要がないため、監視カメラ１００の本体を安価な構成にすることができる。
【００３５】
また、ＬＥＤ１１８，１２０の発光状態を監視カメラ１００の外から確認可能とするために、監視カメラ１００の本体表面カバー１０４にＬＥＤ１１８，１２０の発光状態の確認用の覗き孔を形成する必要がないため、監視カメラ１００の本体の意匠を損なうことがない。
【００３６】
以上により、本発明の第１の実施の形態によれば、管理者などに監視カメラ１００の動作状態を、安価な構成で、監視カメラ１００の意匠を損なうことなく、容易に把握させることができる。
【００３７】
なお、上述した本発明の第１の実施の形態において、ＬＥＤ１１８が照射する光１２４の色と、ＬＥＤ１２０が照射する光の色とを異ならせてもよい。例えば、ＬＥＤ１１８は緑色の光１２４を照射し、ＬＥＤ１２０は橙色の光を照射する。これにより、監視カメラ１００の管理者などは、監視カメラ１００の動作状態を正確に把握することができる。
【００３８】
また、上述した本発明の第１の実施の形態において、ＬＥＤ１１８，１２０の発光状態を点灯状態と消灯状態としたが、様々な監視カメラ１００の動作状態に応じて、点滅状態などにしてもよい。
【００３９】
また、上述した本発明の第１の実施の形態において、ＬＥＤ１１８やＬＥＤ１２０は、通風孔１１２を介して光を照射したが、通風孔１１２以外に天井面２００における本体裏面カバー１０６の周縁部外側に光を照射可能とする孔がある場合には、その孔を利用してもよい。
【００４０】
また、上述した本発明の第１の実施の形態において、ＬＥＤを２つ有したが、１つや２つ以上のＬＥＤを使用してもよい。
【００４１】
［監視カメラの他の構成例］
以下、本発明の第２の実施の形態に係る監視カメラについて説明する。本発明の第２の実施の形態に係る監視カメラは、上述した本発明の第１の実施の形態に係る監視カメラと比較して、監視カメラに孔径が異なる通風孔が形成されている点が相違する。以下では、本発明の第２の実施の形態に係る監視カメラについて、主に本発明の第１の実施の形態に係る監視カメラとの相違点について説明し、本発明の第１の実施の形態に係る監視カメラと同一構成については詳細な説明を省略する。図５は、本発明の第２の実施の形態に係る監視カメラの概略構成を示す断面図である。
【００４２】
図５において、監視カメラ１５０は、例えば、室内の天井面２５０に設置されている。監視カメラ１５０は、主に、カメラモジュール１５２と、本体表面カバー１５４と、本体裏面カバー１５６と、基板１６４と、ケーブル１６６と、ＬＥＤ１６８，１７０とから構成される。カメラモジュール１５２と基板１６４とはケーブル１６６を介して接続されている。
【００４３】
基板１６４は、略円板形状を呈し、本体表面カバー１５４と本体裏面カバー１５６とが画成する内部空間において、本体裏面カバー１５６と平行した状態で配設されている。ＬＥＤ１６８は、基板１６４上における図中左側の周縁部近傍に設置され、ＬＥＤ１７０は、基板１６４上における図中右側の周縁部近傍に設置されて、ＬＥＤ１６８，１７０は、監視カメラ１５０の動作状態に関連づけされて、その発光状態が制御される。
【００４４】
図中左側の本体表面カバー１５４と本体裏面カバー１５６との間隙には、斜め方向に向けて開口する通風孔１６２が形成されている。また、図中右側の本体表面カバー１５４と本体裏面カバー１５６との間隙には、斜め方向に向けて開口する通風孔１６３が形成されている。なお、通風孔１６２は、その孔径が通風孔１６３の孔径よりも大きくなるように形成されている。ＬＥＤ１６８は、通風孔１６２を介して天井面２５０における本体裏面カバー１５６の図中左側の周縁部外側に光１７４を照射する。また、ＬＥＤ１７０は、通風孔１６３を介して天井面２５０における本体裏面カバー１５６の図中右側の周縁部外側に光１７６を照射する。通風孔１６２の孔径は通風孔１６３の孔径よりも大きいため、図５に示すように、光１７４の間接光１７８の大きさは光１７６の間接光１８０の大きさよりも大きくなる。
【００４５】
本発明の第２の実施の形態によれば、発光状態が監視カメラ１５０の動作状態に関連づけされたＬＥＤ１６８の光１７４が通風孔１６２を介して天井面２５０における本体裏面カバー１５６の周縁部外側に照射される。また、発光状態が監視カメラ１５０の動作状態に関連づけされたＬＥＤ１７０の光１７６が通風孔１６３を介して天井面２５０における本体裏面カバー１５６の周縁部外側に照射される。通風孔１６２の孔径は通風孔１６３の孔径よりも大きいため、光１７４の間接光１７８の大きさは光１７６の間接光１８０の大きさよりも大きくなる。これにより、監視カメラ１００の設置者などは、天井面２５０における本体裏面カバー１５６の周縁部外側に照射された光１７４，１７６の間接光１７８，１８０の大きさにより、どちらのＬＥＤ１６８，１７０が照射した光１７４，１７６なのかを容易に把握することができ、もって監視カメラ１５０の動作状態を正確に把握することができる。
【００４６】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４７】
例えば、上記各実施の形態では、光を照射するのがＬＥＤとしたが、本発明は係る例に限定されない。例えば、光を照射することができるものであれば、どのようなものであってもよい。
【００４８】
また、上記各実施の形態では、監視装置としての監視カメラに本発明を適用する場合について説明したが、警報発生装置などの監視装置においても、本発明は適用可能である。
【符号の説明】
【００４９】
１００，１５０    監視カメラ
１０２，１５２    カメラモジュール
１０４，１５４    本体表面カバー
１０６，１５６    本体裏面カバー
１０８    ねじ挿通孔
１１０    ケーブル挿通孔
１１２，１６２，１６３    通風孔
１１４，１６４    基板
１１６    ケーブル
１１８，１２０，１６８，１７０    ＬＥＤ
１２４，１７４，１７６    光
１２６，１７８，１８０    間接光
２００，２５０    天井面
【図１】
2011091569.tif 000003
【図２】
2011091569.tif 000004
【図３】
2011091569.tif 000005
【図４】
2011091569.tif 000006
【図５】
2011091569.tif 000007